(57)【要約】【課題】表示情報を表示部に３Ｄ表示させる際に、状況に応じて適切な表示制御を実現できるようにする。【解決手段】中央制御部１１は、この表示情報を表示部１７に３Ｄ表示させる際に、周囲の明るさ検出部２４によって検出された周囲の明るさに基づいて３Ｄ深度を決定したり、表示部１７の明るさに基づいて３Ｄ深度を決定したり、周囲の明るさ及び表示部１７の明るさに基づいて３Ｄ深度を決定したりし、この決定した３Ｄ深度で表示情報を表示部１７に表示させる。【選択図】  図２
2010278703.tif 000002
【特許請求の範囲】
【請求項１】
表示情報を表示部に３Ｄ表示させる端末装置であって、
周囲の明るさを検出する周囲検出手段と、
この周囲検出手段によって検出された周囲の明るさに基づいて、前記表示部に表示される表示情報の３Ｄの奥行きあるいは飛び出しの程度を示す３Ｄ深度を決定する決定手段と、
この決定手段によって決定された３Ｄ深度で表示情報を前記表示部に表示させる表示制御手段と、
を具備したことを特徴とする端末装置。
【請求項２】
前記表示部の明るさを検出する表示部検出手段を更に備え、
前記決定手段は、前記周囲検出手段によって検出された周囲の明るさ及び前記表示部検出手段によって検出された表示部の明るさに基づいて前記表示情報の３Ｄ深度を決定する、
ようにしたことを特徴とする請求項１記載の端末装置。
【請求項３】
前記決定手段は、前記周囲検出手段によって検出された周囲の明るさが所定の明るさよりも暗い場合に、前記表示情報の３Ｄ深度として所定の３Ｄ深度よりも大きい３Ｄ深度に決定する、
ようにしたことを特徴とする請求項１記載の端末装置。
【請求項４】
前記決定手段は、前記周囲検出手段によって検出された周囲の明るさが所定の明るさよりも明るい場合に、前記表示情報の３Ｄ深度として所定の３Ｄ深度よりも大きい３Ｄ深度に決定する、
ようにしたことを特徴とする請求項１記載の端末装置。
【請求項５】
前記決定手段は、前記周囲検出手段によって検出された周囲の明るさに基づいて、前記表示情報の３Ｄ深度をゼロにするか否かを決定し、
前記表示制御手段は、前記決定手段によって３Ｄ深度をゼロにすると決定された場合に、３Ｄ深度ゼロで表示情報を前記表示部に２Ｄ表示させる、
ようにしたことを特徴とする請求項１記載の端末装置。
【請求項６】
前記決定手段は、前記周囲検出手段によって検出された周囲の明るさが所定の明るさよりも明るい場合には、前記表示情報の３Ｄ深度をゼロに決定する、
ようにしたことを特徴とする請求項５記載の端末装置。
【請求項７】
前記決定手段は、前記周囲検出手段によって検出された周囲の明るさが所定の明るさよりも暗い場合には、前記表示情報の３Ｄ深度をゼロに決定する、
ようにしたことを特徴とする請求項５記載の端末装置。
【請求項８】
表示情報を表示部に３Ｄ表示させる端末装置であって、
前記表示部の明るさを検出する表示部検出手段と、
この表示部検出手段によって検出された表示部の明るさに基づいて、前記表示部に表示される表示情報の３Ｄの奥行きあるいは飛び出しの程度を示す３Ｄ深度を決定する決定手段と、
この決定手段によって決定された３Ｄ深度で表示情報を前記表示部に表示させる表示制御手段と、
を具備したことを特徴とする端末装置。
【請求項９】
周囲の明るさを検出する周囲検出手段と、
前記表示部検出手段によって検出された表示部の明るさに応じた３Ｄ深度の制御を行うか否かを、前記周囲検出手段によって検出された周囲の明るさに基づいて判別する手段と、
を更に備え、
前記決定手段は、前記判別手段によって制御を行うと判別された場合に、前記表示部検出手段によって検出された表示部の明るさに基づいて、前記表示情報の３Ｄ深度を決定する、
ようにしたことを特徴とする請求項８記載の端末装置。
【請求項１０】
前記判別手段は、前記周囲検出手段によって検出された周囲の明るさが所定の明るさよりも暗い場合に、前記表示部検出手段によって検出された表示部の明るさに応じた３Ｄ深度の制御を行うと判別する、
ようにしたことを特徴とする請求項９記載の端末装置。
【請求項１１】
コンピュータに対して、
周囲の明るさを検出する機能と、
前記検出された周囲の明るさに基づいて、表示部に表示される表示情報の３Ｄの奥行きあるいは飛び出しの程度を示す３Ｄ深度を決定する機能と、
前記決定された３Ｄ深度で表示情報を前記表示部に表示させる機能と、
を実現させるためのプログラム。
【請求項１２】
コンピュータに対して、
表示部の明るさを検出する機能と、
前記検出された表示部の明るさに基づいて、この表示部に表示される表示情報の３Ｄの奥行きあるいは飛び出しの程度を示す３Ｄ深度を決定する機能と、
前記決定された３Ｄ深度で表示情報を前記表示部に表示させる機能と、
を実現させるためのプログラム。
【発明の詳細な説明】
【技術分野】
【０００１】
本発明は、表示情報を表示部に３Ｄ表示させる端末装置及びプログラムに関する。
【背景技術】
【０００２】
従来、平面状の表示部に画像（静止画、動画）、テキスト、メニューなどの表示情報を３Ｄ（三次元）表示してユーザに立体視させるようにした技術には、各種の技術があり、例えば、２Ｄ（二次元）表示情報の中のオブジェクトに立体に見えるような視覚効果を施して、オブジェクトを立体に見せる技術がある。なお、ポリゴンを利用した技術はこの技術の一例である。また、ユーザの右目と左目の視差を利用した技術もある。すなわち、互いに少しずらした右目用の表示情報と左目用の表示情報を用意し、それら２つの表示情報を同時に表示させた際に、右目用の表示情報は右目で見えて左目では見えないように、左目用の表示情報は左目で見えて右目では見えないようにするために、光の経路を遮断する視差バリアを適切な位置に配置することによって表示情報を立体に見せるようにした技術である。
【０００３】
上述したいずれの３Ｄ表示技術においても、３Ｄの奥行きや飛び出しの程度を示す３Ｄ深度というパラメータがあり、この３Ｄ深度が大きいほど、ユーザには表示情報がより深く、あるいはより飛び出して見えることになる。反対に３Ｄ深度が小さいほど、表示情報が浅く見える、あるいはあまり飛び出して見えないことになり、３Ｄ深度がゼロでは、２Ｄに見える（すなわち２Ｄ表示する）ということになる。
【０００４】
ところで、表示部に所定の３Ｄ深度の表示情報を３Ｄ表示させる場合（３Ｄ深度ゼロの２Ｄ表示を含んでもよい）には、同じ内容の表示情報について、様々な３Ｄ深度の複数の表示情報を用意しておき、それら複数の表示情報の中から所定の３Ｄ深度の表示情報を選択して３Ｄ表示する方法や、２Ｄ表示情報を所定の３Ｄ深度の表示情報に変換して、変換された表示情報を３Ｄ表示する方法などがある。また、３Ｄ表示が正しくユーザに認識されるためには様々な制約がある。それらの制約としは一般に、２Ｄ表示の制約よりも厳しく、例えば、表示部が暗いなどの理由によって表示部が見えにくい場合には、２Ｄ表示よりも３Ｄ表示の方が認識し難くなる。また、３Ｄ表示を正しく認識するための距離（ユーザの目と画面との距離）は、２Ｄ表示を正しく認識するための距離よりも狭い範囲に限定されてしまう。
【０００５】
そこで、上述のような制約を解消するために従来では、ユーザ操作で３Ｄの深度を切り替えることが可能な技術として、例えば、ユーザ操作によって、立体視の奥行きを変化させたり、立体視と平面視を切り換えたりする技術が開示されている（特許文献１参照）。
【先行技術文献】
【特許文献】
【０００６】
【特許文献１】特開２００７−０３７６１９号公報
【発明の概要】
【発明が解決しようとする課題】
【０００７】
しかしながら、上述した先行技術にあっては、ユーザが状況に応じて、その度にユーザ操作によって適切な３Ｄ深度に切り替えなければならず、操作が煩雑であると共にユーザに大きな負担をかけるという問題があった。
【０００８】
本発明の課題は、表示情報を表示部に３Ｄ表示させる際に、状況に応じて適切な表示制御を実現できるようにすることである。
【課題を解決するための手段】
【０００９】
上述した課題を解決するために請求項１記載の発明は、表示情報を表示部に３Ｄ表示させる端末装置であって、周囲の明るさを検出する周囲検出手段と、この周囲検出手段によって検出された周囲の明るさに基づいて、前記表示部に表示される表示情報の３Ｄの奥行きあるいは飛び出しの程度を示す３Ｄ深度を決定する決定手段と、この決定手段によって決定された３Ｄ深度で表示情報を前記表示部に表示させる表示制御手段と、を具備したことを特徴とする。
【００１０】
請求項１に従属する発明として、前記表示部の明るさを検出する表示部検出手段を更に備え、前記決定手段は、前記周囲検出手段によって検出された周囲の明るさ及び前記表示部検出手段によって検出された表示部の明るさに基づいて前記表示情報の３Ｄ深度を決定する、ようにしたことを特徴とする請求項２記載の発明であってもよい。
【００１１】
請求項１に従属する発明として、前記決定手段は、前記周囲検出手段によって検出された周囲の明るさが所定の明るさよりも暗い場合に、前記表示情報の３Ｄ深度として所定の３Ｄ深度よりも大きい３Ｄ深度に決定する、ようにしたことを特徴とする請求項３記載の発明であってもよい。
【００１２】
請求項１に従属する発明として、前記決定手段は、前記周囲検出手段によって検出された周囲の明るさが所定の明るさよりも明るい場合に、前記表示情報の３Ｄ深度として所定の３Ｄ深度よりも大きい３Ｄ深度に決定する、ようにしたことを特徴とする請求項４記載の発明であってもよい。
【００１３】
請求項１に従属する発明として、前記決定手段は、前記周囲検出手段によって検出された周囲の明るさに基づいて、前記表示情報の３Ｄ深度をゼロにするか否かを決定し、前記表示制御手段は、前記決定手段によって３Ｄ深度をゼロにすると決定された場合に、３Ｄ深度ゼロで表示情報を前記表示部に２Ｄ表示させる、ようにしたことを特徴とする請求項５記載の発明であってもよい。
【００１４】
請求項５に従属する発明として、前記決定手段は、前記周囲検出手段によって検出された周囲の明るさが所定の明るさよりも明るい場合には、前記表示情報の３Ｄ深度をゼロに決定する、ようにしたことを特徴とする請求項６記載の発明であってもよい。
【００１５】
請求項５に従属する発明として、前記決定手段は、前記周囲検出手段によって検出された周囲の明るさが所定の明るさよりも暗い場合には、前記表示情報の３Ｄ深度をゼロに決定する、ようにしたことを特徴とする請求項７記載の発明であってもよい。
【００１６】
また、上述した課題を解決するために請求項８記載の発明は、表示情報を表示部に３Ｄ表示させる端末装置であって、前記表示部の明るさを検出する表示部検出手段と、この表示部検出手段によって検出された表示部の明るさに基づいて、前記表示部に表示される表示情報の３Ｄの奥行きあるいは飛び出しの程度を示す３Ｄ深度を決定する決定手段と、この決定手段によって決定された３Ｄ深度で表示情報を前記表示部に表示させる表示制御手段と、を具備したことを特徴とする。
【００１７】
請求項８に従属する発明として、周囲の明るさを検出する周囲検出手段と、前記表示部検出手段によって検出された表示部の明るさに応じた３Ｄ深度の制御を行うか否かを、前記周囲検出手段によって検出された周囲の明るさに基づいて判別する手段と、を更に備え、前記決定手段は、前記判別手段によって制御を行うと判別された場合に、前記表示部検出手段によって検出された表示部の明るさに基づいて、前記表示情報の３Ｄ深度を決定する、ようにしたことを特徴とする請求項９記載の発明であってもよい。
【００１８】
請求項９に従属する発明として、前記判別手段は、前記周囲検出手段によって検出された周囲の明るさが所定の明るさよりも暗い場合に、前記表示部検出手段によって検出された表示部の明るさに応じた３Ｄ深度の制御を行うと判別する、ようにしたことを特徴とする請求項１０記載の発明であってもよい。
【００１９】
また、上述した課題を解決するために請求項１１記載の発明は、コンピュータに対して、周囲の明るさを検出する機能と、前記検出された周囲の明るさに基づいて、表示部に表示される表示情報の３Ｄの奥行きあるいは飛び出しの程度を示す３Ｄ深度を決定する機能と、前記決定された３Ｄ深度で表示情報を前記表示部に表示させる機能と、を実現させるためのプログラムを特徴とする。
【００２０】
また、上述した課題を解決するために請求項１２記載の発明は、コンピュータに対して、表示部の明るさを検出する機能と、前記検出された表示部の明るさに基づいて、この表示部に表示される表示情報の３Ｄの奥行きあるいは飛び出しの程度を示す３Ｄ深度を決定する機能と、前記決定された３Ｄ深度で表示情報を前記表示部に表示させる機能と、を実現させるためのプログラムを特徴とする。
【発明の効果】
【００２１】
本発明によれば、表示情報を表示部に３Ｄ表示させる際に、状況に応じて適切な表示制御を実現することができ、実用効果の高いものとなる。
【図面の簡単な説明】
【００２２】
【図１】この実施形態を適用した携帯電話機が利用可能な通信ネットワークシステムを示したブロック図。
【図２】携帯電話機１の基本的な構成要素を示したブロック図。
【図３】条件記憶部Ｍ３を説明するための図。
【図４】（１）は、深度制御条件が“周囲の明るさ”の場合に対応した制御内容記憶部Ｍ４の内容を説明するための図、（２）は、深度制御条件が“表示部の明るさ”の場合に対応した制御内容記憶部Ｍ４の内容を説明するための図。
【図５】深度制御条件が“周囲の明るさ＋表示部の明るさ”の場合に対応した制御内容記憶部Ｍ４の内容を説明するための図。
【図６】表示情報記憶部Ｍ５を説明するための図。
【図７】電源投入に伴って実行開始される携帯電話機１側の全体動作の概要を示したフローチャート。
【図８】照明点灯処理（図７のステップＡ２など）を詳述するためのフローチャート。
【図９】３Ｄ深度決定処理（図７のステップＡ９）を詳述するためのフローチャート。
【図１０】表示処理（図７のステップＡ１０）を詳述するためのフローチャート。
【発明を実施するための形態】
【００２３】
以下、図１〜図１０を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１には、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、３Ｄ表示機能などが備えられている。この３Ｄ表示機能は、左右の目の視差を利用した視差バリア方式によって、動画、静止画、テキスト、メニューなどの表示情報を３Ｄの奥行きあるいは飛び出しの程度を示す３Ｄ深度で表示させる機能である。
【００２４】
携帯電話機１は、最寄りの基地局２Ａ、交換機２Ｂから無線通信網（移動体通信網）２に接続されると、この無線通信網２を介して他の携帯電話機１との間で通話可能な状態となる。また、携帯電話機１は、無線通信網２を介してインターネット３に接続されると、Ｗｅｂサイトをアクセスして閲覧可能となり、また、情報配信装置４から動画、静止画、音楽、ニュースなどの情報をインターネット３、無線通信網２を介してダウンロード可能となる。また、携帯電話機１は、テレビ局５から送信アンテナ６を介して発信された地上波デジタル放送を受信するようにしているが、インターネットラジオのように無線通信網２、インターネット３を介して情報配信装置４からデジタル放送をダウンロード受信することもできる。
【００２５】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリなどを有している。この記憶部１３には、プログラム記憶部Ｍ１、各種情報一時記憶部Ｍ２、条件記憶部Ｍ３、制御内容記憶部Ｍ４、表示情報記憶部Ｍ５などが設けられている。プログラム記憶部Ｍ１は、図７〜図１０に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、条件記憶部Ｍ３、制御内容記憶部Ｍ４、表示情報記憶部Ｍ５については後で詳述するものとする。
【００２６】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調した後、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナＡＴ１から発信出力させる。
【００２７】
テレビ放送受信部１６は、通信端末装置向けのワンセグ地上波デジタルテレビ放送のほか、電子番組表（ＥＰＧ）などの番組情報も含めて受信可能となっている。このテレビ放送受信部１６は、アンテナＡＴ２からの放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。表示部１７は、高精細液晶を使用し、例えば、文字情報、待受画像、テレビ映像などの表示情報を表示させるもので、この表示部１７の表面には、視差バリアを生成するための液晶の層が設けられている。
【００２８】
３Ｄ変換処理部１８は、３Ｄ表示時に３Ｄ深度に応じた右目用の表示情報と左目用の表示情報を生成するもので、視差バリア制御部１９は、３Ｄ表示時に３Ｄ変換処理部１８によって生成された右目用の表示情報と左目用の表示情報が表示部１７に同時に表示されている状態において、正しく３Ｄ表示が見えるように視差バリアを表示部１７の表層に生成する。また、表示部１７の背面側には、表示部１７をその背面から照明するための表示照明部２０が設けられている。表示照明部２０は、液晶画面を照明するバックライトを構成するもので、その照明の明るさはユーザ操作によって任意に設定可能となっている。中央制御部１１は、表示照明部２０による照明の明るさ（表示部１７の明るさ）に基づいて、表示部１７に表示される表示情報の３Ｄ深度を決定して、その表示情報を表示部１７に３Ｄ表示させるようにしている。つまり、表示部１７の明るさ（画面の明るさ）に応じて表示情報の３Ｄ深度を制御するようにしている。
【００２９】
操作部２１は、ダイヤル入力、文字入力、コマンド入力などを入力するもので、中央制御部１１は、この操作部２１からの入力操作信号に応じた処理を実行する。ＲＴＣ（リアルタイムクロックモジュール）２２は、時計部を構成するもので、中央制御部１１は、ＲＴＣ２１から現在日時を取得する。報知部２３は、サウンドスピーカ２３Ａ、ＬＥＤ（発光ダイオード）２３Ｂ、振動モータ２３Ｃを備え、着信時に駆動されて着信報知を行うほか、アラーム報知時などでも駆動される。周囲の明るさ検出部２４は、携帯電話機１の周囲の明るさを検出する照度計（照度センサ）であり、中央制御部１１は、周囲の明るさ検出部２４の検出結果に基づいて表示部１７に表示される表示情報の３Ｄ深度を決定して表示部１７に３Ｄ表示させるようにしている。つまり、周囲の明るさに応じて表示情報の３Ｄ深度を制御するようにしている。
【００３０】
図３は、条件記憶部Ｍ３を説明するための図である。
条件記憶部Ｍ３は、表示情報の３Ｄ深度を制御する場合に、どのような条件でその制御するかを示す深度制御条件を複数記憶するもので、各条件情報は、「項目」、「設定フラグ」を有している。「項目」は、深度制御条件の種類を示し、“周囲の明るさ”、“表示部の明るさ”、“周囲の明るさ＋表示部の明るさ”を有している。“周囲の明るさ”は、周囲の明るさに応じて表示情報の３Ｄ深度を制御すべきことを示す条件情報である。
“表示部の明るさ”は、表示部１７の明るさ（画面の明るさ）に応じて表示情報の３Ｄ深度を制御すべきことを示す条件情報である。
【００３１】
深度制御条件の“周囲の明るさ＋表示部の明るさ”は、周囲の明るさ及び表示部１７の明るさに応じて表示情報の３Ｄ深度を制御すべきことを示す条件情報である。各深度制御条件に対応する「設定フラグ」は、上述した複数の深度制御条件のうち現在有効な条件はどれかを示すフラグで、ユーザ操作によって任意に設定されたものである。なお、図示の例では、「設定フラグ」が“１”となっている“周囲の明るさ”が現在有効な深度制御条件であることを示している。
【００３２】
図４及び図５は、制御内容記憶部Ｍ４を説明するための図である。
制御内容記憶部Ｍ４は、深度制御条件毎に、どのような３Ｄ深度を決定するかの制御内容を記憶するもので、その内容はユーザ操作によって任意に設定可能となっている。図４（１）は、深度制御条件が“周囲の明るさ”の場合に対応した制御内容記憶部Ｍ４の内容を示し、「周囲の明るさ（単位：ルクス）」と「３Ｄ深度（単位：レベル）」とを対応付けた構成となっている。「３Ｄ深度」は、表示情報の３Ｄの奥行きあるいは飛び出しの程度を示すもので、“レベル２”、“レベル１”、“レベル０（２Ｄ）”が設定され、深度の強い（大きい）順に、レベル２＞レベル１＞レベル０（２Ｄ）の関係となっている。なお、“レベル０（２Ｄ）”は、３Ｄ深度が“レベル０（ゼロ）”で、２Ｄ（平面）であることを示している。
【００３３】
ここで、「周囲の明るさ」と「３Ｄ深度」との関係は次の事項を考慮したものである。すなわち、周囲の明るさに応じて３Ｄ深度を決定する場合に、例えば、明るいオフィスのように周囲の明るさが画面を見るのに適した明るさであれば、最も強い（大きい）３Ｄ深度を決定するようにし、この適正な明るさに比べて、より明るい場合やより暗い場合には、弱い（小さい）３Ｄ深度を決定するようにし、また、適正な明るさ（所定の明るさ）に比べて周囲が暗過ぎたり、明る過ぎたりするような場合には、最も弱い３Ｄ深度（ゼロの３Ｄ深度）を決定するようにしている。
【００３４】
図示の例では、“１００００ルクス〜”に対応して“レベル０（２Ｄ）”が記憶され、“２０００ルクス〜１００００ルクス”に対応して“レベル１”が記憶されている。また、“５００ルクス〜２０００ルクス”に対応して“レベル２”が記憶され、“１０ルクス〜５００ルクス”に対応して“レベル１”が記憶され、“〜１０ルクス”に対応して“レベル０（２Ｄ）”が記憶されている。なお、例えば、“２０００ルクス〜１００００ルクス”は、２０００ルクス以上で１００００ルクス未満であることを示している（以下、同様）。また、周囲の明るさをルクスとしたが、照度などの明るさを表わす任意の単位であってもよい。
【００３５】
なお、「周囲の明るさ」と「３Ｄ深度」との関係は、上述した場合に限らず、例えば、周囲の明るさが所定の明るさよりも暗い場合に、大きい３Ｄ深度となるようにしてもよい。つまり、周囲が暗いほど３Ｄ深度が強くなるような関係であってもよい。これとは逆に、周囲の明るさが所定の明るさよりも明るい場合に、大きい３Ｄ深度となるようにしてもよい。つまり、周囲が明るいほど３Ｄ深度が強くなるような関係であってもよい。また、図示の例では、「３Ｄ深度」をレベルで表現するようにしたが、これに限らず、例えば、ミリメートルなど別の単位で表現するようにしてもよい。
【００３６】
図４（２）は、深度制御条件が“表示部の明るさ”の場合に対応した制御内容記憶部Ｍ４の内容を示し、「表示部の明るさ（単位：カンデラ）」と「３Ｄ深度（単位：レベル）」とを対応付けた構成となっている。この場合においても、「３Ｄ深度」として“レベル２”、“レベル１”、“レベル０（２Ｄ）”が記憶され、また、「表示部の明るさ」と「３Ｄ深度」との関係も上述した周囲の明るさの場合と同様である。すなわち、表示部１７の明るさが画面を見るのに適した明るさの場合には、最も強い３Ｄ深度を決定し、この適正な明るさに比べて、より明るい場合やより暗い場合には、弱い３Ｄ深度を決定し、また、適正な明るさに比べて暗過ぎたり、明る過ぎたりするような場合には、最も弱い３Ｄ深度を決定するようにしている。
【００３７】
図示の例では、“１０００カンデラ〜”に対応して“レベル０（２Ｄ）”が記憶され、“５００カンデラ〜１０００カンデラ”に対応して“レベル１”が記憶されている。また、“２００カンデラ〜５００カンデラ”に対応して“レベル２”が記憶され、“２カンデラ〜２００カンデラ”に対応して“レベル１”が記憶され、“〜２カンデラ”に対応して“レベル０（２Ｄ）”が記憶されている。なお、例えば、“５００カンデラ〜１０００カンデラ”は、５００カンデラ以上で１０００カンデラ未満であることを示している（以下、同様）。また、表示部１７の明るさをカンデラとしたが、照度などの明るさを表わす任意の単位であってもよい。
【００３８】
図５は、深度制御条件が“周囲の明るさ＋表示部の明るさ”の場合に対応した制御内容記憶部Ｍ４の内容を示し、図中、縦方向が「周囲の明るさ」、横方向が「表示部の明るさ」に対応し、この縦横の各交差部分が「３Ｄ深度」に対応した構成となっている。図示の例では、周囲の明るさが５００ルクス以上では、図４（１）で示した制御内容と同様に、周囲の明るさに応じて３Ｄ深度として“１００００ルクス〜”に対応して“レベル０（２Ｄ）”が記憶され、“２０００ルクス〜１００００ルクス”に対応して“レベル１”が記憶され、“５００ルクス〜２０００ルクス”に対応して“レベル２”が記憶されているが、周囲が暗い５００ルクス未満の場合には、周囲の明るさのほかに表示部１７の明るさも加味して３Ｄ深度を決定するために複数の３Ｄ深度が記憶されている。この場合、中央制御部１１は、表示部１７の明るさに応じて３Ｄ深度を制御するか否かを周囲の明るさが５００ルクス未満であるか否かに基づいて判別し、その結果、制御すると判別した際には、表示部１７の明るさに基づいて３Ｄ深度を決定するようにしている。
【００３９】
ここで、「周囲の明るさ」及び「表示部の明るさ」と「３Ｄ深度」との関係は、次の事項を考慮したものであってもよい。すなわち、一般に、周囲が暗く表示照明部２０によって表示部１７がバックライト照明されている場合に、その照明の明るさが適正であれば、ユーザは表示情報をはっきりと認識することができるので、表示情報を大きな３Ｄ深度で表示するようにしているが、照明が明る過ぎたり、暗過ぎたりするときには、表示情報をはっきりと認識することができないために、表示情報を小さな３Ｄ深度で表示するようにしている。
【００４０】
このため、周囲が薄暗い“１０ルクス〜５００ルクス”においては、表示部１７が暗い場合や明るい場合を除いて同一の３Ｄ深度に制御するために、表示部の明るさが“〜２カンデラ”、“１０００カンデラ〜”に対応して“レベル１”が記憶され、その他の“２カンデラ〜２００カンデラ”、“２００カンデラ〜５００カンデラ”、“５００カンデラ〜１０００カンデラ”に対応して“レベル２”が記憶されている。また、周囲が暗い“〜１０ルクス”においては、表示部１７の明るさに応じて３Ｄ深度を細かく制御するために、“〜２カンデラ”に対応して“レベル０（２Ｄ）”が記憶され、“２カンデラ〜２００カンデラ”に対応して“レベル１”が記憶されている。また、“２００カンデラ〜５００カンデラ”に対応して“レベル２”、５００カンデラ〜１０００カンデラ”に対応して“レベル１”、“１０００カンデラ”に対応して“レベル０（２Ｄ）”が記憶されている。
【００４１】
図６は、表示情報記憶部Ｍ５を説明するための図である。
表示情報記憶部Ｍ５は、表示部１７に表示するための表示情報を記憶するもので、例えば、情報配信装置４から動画、静止画、音楽、ニュースなどの情報をインターネット３、無線通信網２を介してダウンロードしたり、テレビ放送受信部１６によって受信した放送番組を録画記録したりした情報を表示情報として記憶するようにしている。この表示情報記憶部Ｍ５は、表示情報を識別する「情報ＩＤ」に対応して「タイトル」、「種別」、「３Ｄ深度」、「実データ」などを記憶する構成で、「種別」は、表示情報の種別（動画、静止画、テキスト、メニューなど）を識別するための情報である。「実データ」は、表示情報の実データで、その「３Ｄ深度」が“レベル０（２Ｄ表示用）”の実データのみを持つ表示情報もあれば、各３Ｄ深度の実データを持つ表示情報もある。つまり、同じ内容であっても３Ｄ深度毎に実データ（２Ｄ表示を含む）をそれぞれ持つ表示情報があり、また、３Ｄ深度がレベル０（２Ｄ表示）の実データのみを持つ表示情報がある。
【００４２】
次に、この実施形態における携帯電話機１の動作概念を図７〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００４３】
図７は、電源投入に伴って実行開始される携帯電話機１側の全体動作の概要を示したフローチャートである。
先ず、中央制御部１１は、電源を投入する電源オン操作が行われると（ステップＡ１でＹＥＳ）、表示照明部２０を点灯する照明点灯処理（後述する）を行った後（ステップＡ２）、所定の待受画像を読み出して表示させたり、基地局２Ａとの間で通信を行って位置登録をしたりする待受処理を行う（ステップＡ３）。
【００４４】
図８は、照明点灯処理（図７のステップＡ２など）を詳述するためのフローチャートである。
先ず、中央制御部１１は、予め設定されている照明の明るさ設定値を読み出し（ステップＢ１）、この照明の明るさ設定値に基づいて表示照明部２０を点灯させた後（ステップＢ２）、照明タイマ（図示省略）の時間計測動作を開始させる（ステップＢ３）。この照明タイマは、例えば、節電対策として表示照明部２０を点灯させてから何も操作されていない無操作状態が一定時間（例えば、１５秒）継続しているかを計測するためのタイマであり、中央制御部１１は、このタイマがタイムアウトした際に表示照明部２０を消灯させるようにしている。
【００４５】
このような照明点灯処理（図７のステップＡ２）及び待受処理（ステップＡ３）の実行後は、操作待ちや着信待ちとなる。ここで、任意の情報を設定する設定操作が行われると（ステップＡ４でＹＥＳ）、上述の照明点灯処理を行って照明タイマの時間計測動作を開始させた後（ステップＡ５）、その設定操作に対応する設定処理として、例えば、表示照明部２０、条件記憶部Ｍ３、制御内容記憶部Ｍ４、表示情報記憶部Ｍ５などに対する設定を行う（ステップＡ６）。すなわち、表示照明部２０に対してバックライト照明の明るさを設定したり、条件記憶部Ｍ３の「設定フラグ」を設定したり、制御内容記憶部Ｍ４に対して「３Ｄ深度」を設定したりする処理のほか、情報配信装置４から動画、静止画、音楽、ニュースなどの情報をダウンロードしたり、テレビ放送受信部１６によって受信した放送番組を録画記録したりして表示情報記憶部Ｍ５に記憶する処理などを行う。このような設定処理（ステップＡ６）が終わると、上述のステップＡ４に戻る。
【００４６】
また、表示情報表示操作が行われると（ステップＡ７でＹＥＳ）、つまり、ユーザ操作によって画像、テキスト、メニューなどの表示情報を表示対象として指定して、この表示情報を表示部１７に表示させることを指示する表示情報表示操作が行われると、上述の照明点灯処理を行って照明タイマの時間計測動作を開始させた後（ステップＡ８）、この表示情報の３Ｄ深度を制御するために３Ｄ深度決定処理を実行すると共に（ステップＡ９）、この決定処理によって決定された３Ｄ深度で表示情報を表示部１７に表示させる表示処理に移る（ステップＡ１０）。
【００４７】
図９は、３Ｄ深度決定処理（図７のステップＡ９）を詳述するためのフローチャートである。
先ず、中央制御部１１は、条件記憶部Ｍ３を参照し、「設定フラグ」が“１”の深度制御条件は、“周囲の明るさ”であるかを調べたり（ステップＣ２）、“表示部の明るさ”であるか“周囲の明るさ＋表示部の明るさ”であるかを調べたりする（ステップＣ７）。いま、「設定フラグ」が“１”の深度制御条件が“周囲の明るさ”であれば（ステップＣ２でＹＥＳ）、周囲の明るさ検出部２４によって検出された周囲の明るさを取得し（ステップＣ３）、この周囲の明るさに基づいて制御内容記憶部Ｍ４を参照し、この周囲の明るさに対応する制御内容を読み出す（ステップＣ４）。
【００４８】
すなわち、図４（１）に示す制御内容記憶部Ｍ４を参照し、明るさ検出部２４によって検出された周囲の明るさが“１００００ルクス〜”であれば、それに対応する制御内容として“レベル０（２Ｄ）”を読み出し、“２０００ルクス〜１００００ルクス”であれば、レベル１”を読み出し、“５００ルクス〜２０００ルクス”であれば、“レベル２”を読み出し、“１０ルクス〜５００ルクス”であれば、“レベル１”を読み出し、“〜１０ルクス”であれば“レベル０（２Ｄ）”を読み出す。そして、読み出した制御内容を制御用の３Ｄ深度として決定した後（ステップＣ５）、この制御用の３Ｄ深度を各種情報一時記憶部Ｍ２に一時記憶しておく（ステップＣ６）。
【００４９】
また、「設定フラグ」が“１”の深度制御条件が“表示部の明るさ”であれば（ステップＣ７でＹＥＳ）、表示照明部２０の点灯状況（点灯している／点灯していない、どの明るさで点灯しているか）によって表示部１７の明るさを検出する（ステップＣ８）。この場合、表示照明部２０が点灯しているときには、表示照明部２０から明るさの設定値を読み出すことによって表示部１７の明るさ（画面の明るさ）を検出する。そして、この“表示部１７の明るさ”に基づいて制御内容記憶部Ｍ４を参照し、それに対応する制御内容を読み出す（ステップＣ９）。
【００５０】
すなわち、図４（２）に示す制御内容記憶部Ｍ４を参照し、表示部の明るさが“１０００カンデラ〜”であれば、制御内容として“レベル０（２Ｄ）”を読み出し、“５００カンデラ〜１０００カンデラ”であれば、“レベル１”を読み出し、２００カンデラ〜５００カンデラ”であれば、“レベル２”を読み出し、“２カンデラ〜２００カンデラ”であれば、“レベル１”を読み出し、“〜２カンデラ”であれば、“レベル０（２Ｄ）”を読み出す。そして、読み出した制御内容を制御用の３Ｄ深度として決定した後（ステップＣ１０）、この制御用の３Ｄ深度を各種情報一時記憶部Ｍ２に一時記憶しておく（ステップＣ６）。
【００５１】
また、「設定フラグ」が“１”の深度制御条件が“周囲の明るさ＋表示部の明るさ”であれば（ステップＣ７でＮＯ）、上述したステップＣ３、Ｃ４と同様に、周囲の明るさを検出すると共に（ステップＣ１１）、この周囲の明るさに基づいて制御内容記憶部Ｍ４を参照し、それに対応する制御内容を読み出す（ステップＣ１２）。そして、表示部１７の明るさによる制御が必要であるかを調べる（ステップＣ１３）。すなわち、図５に示す制御内容記憶部Ｍ４を参照し、周囲の明るさに対応する３Ｄ深度が複数記憶されているか単数記憶されているかを判別することによって、周囲の明るさだけではなく、更に表示部１７の明るさによる制御が必要であるか否かを判別する。この場合、図５の制御内容記憶部Ｍ４には、周囲の明るさが５００ルクス未満であれば、複数の３Ｄ深度が記憶され、周囲の明るさが５００ルクス以上であれば、単数の３Ｄ深度が記憶されているので、周囲の明るさが５００ルクス未満であるか、５００ルクス以上であるかに基づいて表示部の明るさによる制御が必要であるか否かを判別する。
【００５２】
ここで、表示部の明るさによる制御を必要としないと判別した場合には（ステップＣ１３でＮＯ）、周囲の明るさに基づいて図５に示す制御内容記憶部Ｍ４から読み出した制御内容を制御用の３Ｄ深度として決定した後（ステップＣ１６）、この制御用の３Ｄ深度を各種情報一時記憶部Ｍ２に一時記憶しておく（ステップＣ６）。また、表示部の明るさによる制御を必要とすると判別した場合には（ステップＣ１３でＹＥＳ）、上述したステップＣ８、Ｃ９と同様に、表示部１７の明るさを検出すると共に（ステップＣ１４）、この表示部１７の明るさに基づいて制御内容記憶部Ｍ４を参照し、それに対応する制御内容を図５の制御内容記憶部Ｍ４から読み出す（ステップＣ１５）。
【００５３】
例えば、周囲が薄暗い“１０ルクス〜５００ルクス”において、表示部１７の明るさが“〜２カンデラ”又は“１０００カンデラ〜”であれば、“レベル１”を読み出し、“２カンデラ〜２００カンデラ”であれば、“レベル２”を読み出す。また、周囲が暗い“〜１０ルクス”において、表示部１７の明るさが“〜２カンデラ”であれば、“レベル０（２Ｄ）”を読み出し、“２カンデラ〜２００カンデラ”であれば、“レベル１”を読み出し、“２００カンデラ〜５００カンデラ”であれば、“レベル２”を読み出す。そして、読み出した制御内容を制御用の３Ｄ深度として決定した後（ステップＣ１６）、この制御用の３Ｄ深度を各種情報一時記憶部Ｍ２に一時記憶しておく（ステップＣ６）。
【００５４】
図１０は、表示処理（図７のステップＡ１０）を詳述するためのフローチャートである。
先ず、中央制御部１１は、上述の３Ｄ深度決定処理において各種情報一時記憶部Ｍ２に一時記憶しておいた３Ｄ深度を読み出し（ステップＤ１）、その３Ｄ深度は、“レベル０”であるかを調べる（ステップＤ２）。いま、“レベル０”で２Ｄ（平面）であれば（ステップＤ２でＹＥＳ）、上述の表示情報表示操作によって表示対象として指定された表示情報を２Ｄ表示させるが、その際、表示部１７の表面に視差バリアが生成されていれば、この視差バリアを消去したのち（ステップＤ３）、表示情報を表示部１７に２Ｄ表示させる（ステップＤ４）。
【００５５】
また、「３Ｄ深度」が“レベル０”でなければ（ステップＤ２でＮＯ）、表示情報の「３Ｄ深度」に基づいて表示情報記憶部Ｍ５を検索し、それに対応する「実データ」の有無を調べる（ステップＤ５）。ここで、「実データ」は、「３Ｄ深度」が“レベル０”の実データのみを持つ表示情報もあれば、各３Ｄ深度の実データを持つ表示情報もあるため、「３Ｄ深度」の「実データ」が有るか否かを調べた結果、該当する「実データ」が有れば（ステップＤ５でＹＥＳ）、この「実データ」を読み出す（ステップＤ６）。すなわち、決定した「３Ｄ深度」に対応付けられている「実データ」を選択して読み出して、この表示情報を３Ｄ表示させるが、その際、視差バリアを表示部１７の表層に生成させたのち（ステップＤ８）、表示部１７に３Ｄ表示させる（ステップＤ９）。
【００５６】
また、「実データ」が無ければ（ステップＤ５でＮＯ）、つまり、決定した３Ｄ深度とは異なる別の３Ｄ深度（例えば、深度レベル“０”）の「実データ」しか記憶されていなければ、この別の３Ｄ深度の「実データ」を、決定した３Ｄ深度の３Ｄ表示情報に変換するために、決定した３Ｄ深度に応じた右目用の表示情報と左目用の表示情報を生成する（ステップＤ７）。そして、視差バリアを表示部１７の表層に生成させた後（ステップＤ８）、表示情報を表示部１７に３Ｄ表示させる（ステップＤ９）。すなわち、該当する「３Ｄ深度」の「実データ」が記憶されていなければ、決定した３Ｄ深度とは別の３Ｄ深度の「実データ」を、決定した３Ｄ深度の３Ｄ表示情報に変換して３Ｄ表示させる。
【００５７】
このように表示情報表示操作に応答して３Ｄ深度決定処理（図７のステップＡ９）及び表示処理（ステップＡ１０）が実行される。また、上述した照明タイマがタイムアウトとなった際には（ステップＡ１１でＹＥＳ）、表示照明部２０の消灯によって（ステップＡ１２）、表示部１７の明るさが変化するため、上述の３Ｄ深度決定処理（図７のステップＡ９）及び表示処理（ステップＡ１０）を実行して、照明消灯後の明るさに基づいて決定した３Ｄ深度で表示情報を表示させる。
【００５８】
また、中央制御部１１は、周囲の明るさ検出部２４からの検出結果（今回の検出結果）と前回の検出結果とを比較することによって周囲の明るさが変化したかを判別している（ステップＡ１３）。いま、周囲の明るさの変化を検出したときには（ステップＡ１３でＹＥＳ）、上述の３Ｄ深度決定処理（ステップＡ９）及び表示処理（ステップＡ１０）を実行して、変化後の周囲の明るさ基づいて決定した３Ｄ深度で表示情報を表示させる。なお、上述のように周囲の明るさの変化を検出した場合に限らず、定期的に周囲の明るさを検出して、３Ｄ深度決定処理（ステップＡ９）及び表示処理（ステップＡ１０）を実行するようにしてもよい。
【００５９】
他方、電話着信を検出すると（図７のステップＡ１４でＹＥＳ）、上述の照明点灯処理を行って照明タイマの時間計測動作を開始させた後（ステップＡ１５）、通話可能状態とする通話処理を実行した後（ステップＡ１６）、上述のステップＡ４に戻る。また、電源オフ操作が行われたときには（ステップＡ１７でＹＥＳ）、上述の照明点灯処理を行って照明タイマの時間計測動作を開始させた後（ステップＡ１８）、電源オフ処理を実行して（ステップＡ１９）、この図７のフローの終了となる。その他の操作が行われたときには（ステップＡ２０でＹＥＳ）、上述の照明点灯処理を行って照明タイマの時間計測動作を開始させた後（ステップＡ２１）、その操作に応じた処理として、例えば、表示部１７の内容を消去する表示消去処理、通話発信処理、メール発信処理などを実行した後（ステップＡ２２）、上述のステップＡ４に戻る。
【００６０】
以上のように、本実施形態において中央制御部１１は、表示情報を表示部１７に３Ｄ表示させる場合に、この表示情報の３Ｄ深度を周囲の明るさに基づいて決定し、この３Ｄ深度で表示情報を表示部１７に表示させるようにしたので、周囲の明るさに応じて適切な表示制御を実現することができ、実用効果の高いものとなる。
【００６１】
周囲の明るさ及び表示部１７の明るさに基づいて表示情報の３Ｄ深度を決定するようにしたので、周囲の明るさだけでなく、画面の明るさも加味して３Ｄ深度を決定することができ、周囲の明るさ及び画面の明るさに応じて、適切な３Ｄ深度で表示情報を表示させることができる。
【００６２】
周囲の明るさが所定の明るさよりも暗い場合には、大きい３Ｄ深度に決定するようにすれば、周囲が暗く表示部１７がバックライト照明されている場合には、大きな３Ｄ深度で表示情報を表示させることによって表示情報をはっきりと認識することができ、３Ｄ表示を有効に利用することが可能となる。
【００６３】
周囲の明るさが所定の明るさよりも明るい場合に、大きい３Ｄ深度に決定するようにすれば、周囲が明るいと表示情報をはっきりと認識できるような特性を持つ表示部１７の場合に、３Ｄ表示を有効に利用することができる。
【００６４】
周囲の明るさに基づいて３Ｄ深度をゼロにするか否かを決定し、ゼロにする場合には、表示情報を３Ｄ深度ゼロで２Ｄ表示させるようにしたので、周囲の明るさに応じて適切に３Ｄ表示か２Ｄ表示かを決定することができる。
【００６５】
周囲の明るさが所定の明るさよりも明るい場合には、３Ｄ深度をゼロに決定するようにしたので、周囲が明るいと表示情報をはっきりと認識できなくなるような特性を持つ表示部１７の場合に、不要な３Ｄ表示を省略することができる。
【００６６】
周囲の明るさが所定の明るさよりも暗い場合には、３Ｄ深度をゼロに決定するようにしたので、周囲が暗いと表示情報をはっきりと認識できなくなるような特性を持つ表示部の場合に、不要な３Ｄ表示を省略することができる。
【００６７】
表示部１７の明るさに基づいて３Ｄ深度を決定し、この３Ｄ深度で表示情報を表示部１７に表示させるようにしたので、表示部１７の明るさに応じて適切な表示制御を実現することができ、実用効果の高いものとなる。
【００６８】
表示部１７の明るさに応じた３Ｄ深度の制御を行うか否かを周囲の明るさに基づいて判別した結果、制御を行うと判別した場合に、表示部１７の明るさに基づいて３Ｄ深度を決定するようにしたので、周囲の明るさと表示部１７の明るさに応じて、適切な３Ｄ深度で表示情報を表示させることができる。
【００６９】
周囲の明るさが所定の明るさよりも暗い場合に、表示部１７の明るさに応じた３Ｄ深度の制御を行うと判別するようにしたので、表示部１４の明るさが表示情報の認識し易さに与える影響が、周囲が明るい場合よりも周囲が暗い場合の方が大きい場合に、表示部１７の明るさに応じた適切な３Ｄ深度で表示情報を表示させることができる。
【００７０】
なお、上述した実施形態において、「周囲の明るさ」と「３Ｄ深度」との関係として、周囲が暗いほど３Ｄ深度が強くなるような関係としたり、これとは逆に、周囲が明るいほど３Ｄ深度が強くなるような関係としたりする場合を説明したが、「周囲の明るさ」と「３Ｄ深度」との関係は、上述した実施形態に限らず、様々な状況を考慮するようにしてもよい。
【００７１】
例えば、周囲が暗く表示照明部２０によって表示部１７がバックライト照明されていれば、ユーザは表示情報をはっきりと認識することができるが、このバックライト照明が明る過ぎると、眩し過ぎてユーザは表示情報をはっきりと認識することができないため、ユーザは画面から眼を遠ざけて見る傾向にある。また、周囲が明るい場合には、画面内容が視にくくなるため、ユーザは画面に眼を遠ざけて見る傾向にある。このような場合、眼を遠ざけて見るときには、３Ｄ深度を強めにし、逆に、眼を近づけて見るときには、３Ｄ深度を弱めにするようにしてもよい。逆に、眼を遠ざけて見るときには、３Ｄ深度を弱めにしたり、２Ｄ表示にしたりし、眼を近づけて見るときには、３Ｄ深度を強めにしたりするようにしてもよい。
【００７２】
上述した実施形態においては、表示部１７に表示させる表示情報の種別として、情報配信装置４から配信される表示情報、テレビ局５から送信される表示情報（テレビ番組）、テキスト、メニューなどとしたが、これに限らず、例えば、撮影手段を備えた携帯電話機１にあっては、その撮影手段で撮影された表示情報（画像）、又は各種設定用画面、動画再生時の音量設定用画面など、表示部１７に表示させる任意の種別の表示情報であってもよい。
【００７３】
上述した実施形態においては、表示部１７に表示させる表示情報として記憶部１３に記憶されている表示情報としたが、これに限らず、情報配信装置４から配信される表示情報を受信しながら逐次表示したり（ストリーミング再生）、テレビ局５から送信される表示情報（テレビ番組）を受信しながら逐次表示したりするなど、表示部１７に表示させる任意の表示情報であってもよい。
【００７４】
上述した実施形態においては、３Ｄの表示情報は、その３Ｄ深度に応じた右目用の表示情報と左目用の表示情報を同時に表示して、それらが正しく３Ｄに見えるように３Ｄ深度に応じた視差バリアを表示部１７の表層に生成して３Ｄ表示を行う方法を例示したが、例えば、表示情報の中のオブジェクトが３Ｄに見えるような視覚効果を施して３Ｄ表示を行う方法など、任意の３Ｄ表示方法であってもよい。
【００７５】
上述した実施形態においては、決定した３Ｄ深度の実データが記憶されていない場合には、別の３Ｄ深度の実データを決定した３Ｄ深度の実データに変換するようにしたが、決定した３Ｄ深度の実データを情報配信装置４に要求して受信するようにしてもよい。
【００７６】
上述した実施形態においては、表示照明部２０の点灯状況で表示部１７の明るさを検出するようにしたが、表示部１７の付近に明るさセンサ（照度計）を設けて、実際の画面上での明るさを検出するなど、任意の検出方法であってもよい。
【００７７】
また、図７のフローにおいて、表示情報表示操作が行われた際に（ステップＡ７でＹＥＳ）、３Ｄ深度決定処理（ステップＡ９）と表示処理（ステップＡ１０）を実行するようにしたが、例えば、電源オン操作が行われた際（ステップＡ１７でＹＥＳ）、設定操作が行われた際（ステップＡ４でＹＥＳ）、着信を検出した際（ステップＡ１４でＹＥＳ）、その他の操作が行われた際にも（ステップＡ２０でＹＥＳ）、上述の３Ｄ深度決定処理と表示処理を行い、３Ｄ深度を決定して、そのときに表示されている表示情報の表示制御を行うようにしてもよい。
【００７８】
その他、記憶部１３はメモリカードや外付けハードディスクなど、任意の外部記憶装置であってもよい。また、表示部１７は、外部モニタなど、任意の外部表示装置であってもよい。また、端末装置は携帯電話機に限らず、パーソナルコンピュータ、ＰＤＡ、デジタルカメラ、音楽プレイヤーなど、任意の端末装置であってもよい。更に、折り畳みタイプの端末装置に限らず、ストレートタイプ、スライドタイプ、スピントップタイプなど任意の筐体構造であってもよい。
【００７９】
また、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８０】
１  携帯電話機
２  無線通信網
４  情報配信装置
１１  中央制御部
１３  記憶部
１４  無線通信部
１７  表示部
１８  ３Ｄ変換処理部
１９  視差バリア制御部
２０  表示照明部
２１  操作部
２４  周囲の明るさ検出部
Ｍ１  プログラム記憶部
Ｍ２  各種情報一時記憶部
Ｍ３  条件記憶部
Ｍ４  制御内容記憶部
Ｍ５  表示情報記憶部
【図１】
2010278703.tif 000003
【図２】
2010278703.tif 000004
【図３】
2010278703.tif 000005
【図４】
2010278703.tif 000006
【図５】
2010278703.tif 000007
【図６】
2010278703.tif 000008
【図７】
2010278703.tif 000009
【図８】
2010278703.tif 000010
【図９】
2010278703.tif 000011
【図１０】
2010278703.tif 000012
【手続補正書】
【提出日】平成22年9月2日(2010.9.2)
【手続補正１】
【補正対象書類名】明細書
【補正対象項目名】０００９
【補正方法】変更
【補正の内容】
【０００９】
上述した課題を解決するために請求項１記載の発明は、周囲の明るさを検出する照度検出手段と、表示部の明るさを検出する輝度検出手段と、前記照度検出手段により検出される周囲の明るさに基づいて前記輝度検出手段により検出される表示部の明るさに応じた３Ｄ深度の制御の要否を判別し、表示部の明るさに応じた３Ｄ深度の制御が必要と判別された場合に、前記照度検出手段により検出された周囲の明るさと前記輝度検出手段により検出された表示部の明るさとに応じた３Ｄ深度を決定する決定手段と、前記決定手段により決定された３Ｄ深度に従って表示情報を表示部に３Ｄ表示する表示制御手段とを具備することを特徴とする。
【手続補正２】
【補正対象書類名】明細書
【補正対象項目名】００１０
【補正方法】変更
【補正の内容】
【００１０】
上記請求項１に従属する請求項２に記載の発明では、前記決定手段は、前記照度検出手段により検出される周囲の明るさが所定の明るさよりも暗い場合に、前記輝度検出手段により検出される表示部の明るさに応じた３Ｄ深度の制御が必要と判別することを特徴とする。
【手続補正３】
【補正対象書類名】明細書
【補正対象項目名】００１１
【補正方法】変更
【補正の内容】
【００１１】
上記請求項１に従属する請求項３に記載の発明では、前記決定手段は、周囲の明るさと表示部の明るさとに対応付けられた３Ｄ深度が登録される３Ｄ深度記憶手段と、前記照度検出手段により検出された周囲の明るさに対応付けられた３Ｄ深度が、前記３Ｄ深度記憶手段に複数登録されているか否かを判別する判別手段と、前記判別手段により複数登録されていると判別された場合に、前記３Ｄ深度記憶手段に複数登録されている３Ｄ深度の内から前記輝度検出手段により検出された表示部の明るさに対応付けられた３Ｄ深度を読み出す３Ｄ深度読出手段とを具備することを特徴とする。
【手続補正４】
【補正対象書類名】明細書
【補正対象項目名】００１２
【補正方法】変更
【補正の内容】
【００１２】
請求項４に記載の発明では、コンピュータに、周囲の明るさを検出する照度検出ステップと、表示部の明るさを検出する輝度検出ステップと、前記照度検出ステップにて検出される周囲の明るさに基づいて前記輝度検出ステップで検出される表示部の明るさに応じた３Ｄ深度の制御の要否を判別し、表示部の明るさに応じた３Ｄ深度の制御が必要と判別された場合に、前記照度検出ステップで検出された周囲の明るさと前記輝度検出ステップで検出された表示部の明るさとに応じた３Ｄ深度を決定する決定ステップと、前記決定ステップにより決定された３Ｄ深度に従って表示情報を表示部に３Ｄ表示する表示制御ステップとを実行させることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】特許請求の範囲
【補正対象項目名】全文
【補正方法】変更
【補正の内容】
【特許請求の範囲】
【請求項１】
周囲の明るさを検出する照度検出手段と、
表示部の明るさを検出する輝度検出手段と、
前記照度検出手段により検出される周囲の明るさに基づいて前記輝度検出手段により検出される表示部の明るさに応じた３Ｄ深度の制御の要否を判別し、表示部の明るさに応じた３Ｄ深度の制御が必要と判別された場合に、前記照度検出手段により検出された周囲の明るさと前記輝度検出手段により検出された表示部の明るさとに応じた３Ｄ深度を決定する決定手段と、
前記決定手段により決定された３Ｄ深度に従って表示情報を表示部に３Ｄ表示する表示制御手段と
を具備することを特徴とする端末装置。
【請求項２】
前記決定手段は、前記照度検出手段により検出される周囲の明るさが所定の明るさよりも暗い場合に、前記輝度検出手段により検出される表示部の明るさに応じた３Ｄ深度の制御が必要と判別することを特徴とする請求項１記載の端末装置。
【請求項３】
前記決定手段は、
周囲の明るさと表示部の明るさとに対応付けられた３Ｄ深度が登録される３Ｄ深度記憶手段と、
前記照度検出手段により検出された周囲の明るさに対応付けられた３Ｄ深度が、前記３Ｄ深度記憶手段に複数登録されているか否かを判別する判別手段と、
前記判別手段により複数登録されていると判別された場合に、前記３Ｄ深度記憶手段に複数登録されている３Ｄ深度の内から前記輝度検出手段により検出された表示部の明るさに対応付けられた３Ｄ深度を読み出す３Ｄ深度読出手段と
を具備することを特徴とする請求項１記載の端末装置。
【請求項４】
コンピュータに、
周囲の明るさを検出する照度検出ステップと、
表示部の明るさを検出する輝度検出ステップと、
前記照度検出ステップにて検出される周囲の明るさに基づいて前記輝度検出ステップで検出される表示部の明るさに応じた３Ｄ深度の制御の要否を判別し、表示部の明るさに応じた３Ｄ深度の制御が必要と判別された場合に、前記照度検出ステップで検出された周囲の明るさと前記輝度検出ステップで検出された表示部の明るさとに応じた３Ｄ深度を決定する決定ステップと、
前記決定ステップにより決定された３Ｄ深度に従って表示情報を表示部に３Ｄ表示する表示制御ステップと
を実行させることを特徴とするプログラム。